(57)【要約】 【課題】光源をユニット化して一体に扱うことができ、組付け作業性がよく、部材の位置精度も良好な交通信号用灯器を提供する。【解決手段】光源２１を前面から覗かせる前面フタ４０と、光源ユニット２０を後方から覆う灯器本体５０とを前後から合わせて光源ユニット２０を収納し、前面フタ４０は、光源２１を覗かせ、かつ光源ユニット２０の前部外周に密接する開口周囲部４１と、灯器本体５０に密接する縁部４２と、光源ユニット２０の受け面４１ａを備え、光源ユニット２０の外周縁部２５を前面フタ４０の受け面４１ａに当接させ、外周縁部２５の全周を後から押さえるリング金具３０を前面フタ４０にねじ止めすることで光源ユニット２０を前面フタ４０に装着する。【選択図】図１
2005284529.tif 000002
【特許請求の範囲】
【請求項１】
光源と駆動基板とを備えた光源ユニットを内装し、交通設備の要所に設置される交通信号用灯器であって、
前記光源を前面から覗かせる前面フタと、前記光源ユニットを後方から覆う灯器本体とを前後から合わせて前記光源ユニットを収納し、
前記前面フタは、前記光源を覗かせ、かつ前記光源ユニットの外周縁部の前部に密接する開口周囲部と、前記灯器本体に密接する縁部と、前記光源ユニットの受け面を備え、
前記光源ユニットの外周縁部を前記前面フタの受け面に当接させ、該外周縁部の全周を後から押さえるリング金具を設け、該リング金具を前記前面フタにねじ止めすることで前記光源ユニットを前記前面フタに装着することを特徴とする交通信号用灯器。
【請求項２】
光源と駆動基板とを備えた光源ユニットを内装し、交通設備の要所に設置される交通信号用灯器であって、
前記光源を前面から覗かせる前面フタと、前記光源ユニットを後方から覆う灯器本体とを前後から合わせて前記光源ユニットを収納し、
前記前面フタは、前記光源を覗かせ、かつ前記光源ユニットの外周縁部の前部に密接する開口周囲部と、前記灯器本体に密接する縁部と、前記光源ユニットの受け面を備え、
前記光源ユニットの外周縁部を前記前面フタの受け面に当接させ、該外周縁部の全周を後から押さえるリング金具を設け、該リング金具の一端は前記前面フタに枢着し、他端を前記前面フタにねじ止めすることで前記光源ユニットを前記前面フタに装着することを特徴とする交通信号用灯器。
【請求項３】
前記前面フタに前記光源ユニットの外周縁部を案内する位置決めリブを設けたことを特徴とする請求項１または２に記載の交通信号用灯器。
【発明の詳細な説明】
【技術分野】
【０００１】
本発明は、光源と駆動基板とを備えた光源ユニットを内装し、交通設備の要所に設置される交通信号用灯器に関する。
【背景技術】
【０００２】
従来の技術としては、例えば特許文献１に示すようなものがある。  
すなわち、特許文献１の特開２００２−２１６２９５号公報には、反射鏡とランプが収容された箱状の灯器本体と、レンズが装着された前面蓋とから成っており、灯器本体と前面蓋の上縁および下縁の対称位置に夫々一対の軸受部を突出形成して、灯器本体と前面蓋とを結合する技術が開示されている。
【０００３】
【特許文献１】特開２００２−２１６２９５号公報
【発明の開示】
【発明が解決しようとする課題】
【０００４】
しかしながら、このような従来の技術では、レンズが前面蓋に装着されていて灯器本体からレンズが別体になってしまうので、光源を一体として扱うことができず、レンズと光源との位置精度が問題であり、また、組付け作業性が悪いという問題点があった。
【０００５】
本発明は、このような従来の技術が有する問題点に着目してなされたもので、光源をユニット化して一体に扱うことができ、組付け作業性がよく、部材の位置精度も良好な交通信号用灯器を提供することを目的としている。
【課題を解決するための手段】
【０００６】
かかる目的を達成するための本発明の要旨とするところは、次の各項の発明に存する。
［１］  光源（２１）と駆動基板（２２）とを備えた光源ユニット（２０）を内装し、交通設備の要所に設置される交通信号用灯器（１０）であって、
前記光源（２１）を前面から覗かせる前面フタ（４０）と、前記光源ユニット（２０）を後方から覆う灯器本体（５０）とを前後から合わせて前記光源ユニット（２０）を収納し、
前記前面フタ（４０）は、前記光源（２１）を覗かせ、かつ前記光源ユニット（２０）の外周縁部（２５）の前部に密接する開口周囲部（４１）と、前記灯器本体（５０）に密接する縁部（４２）と、前記光源ユニット（２０）の受け面（４１ａ）を備え、
前記光源ユニット（２０）の外周縁部（２５）を前記前面フタ（４０）の受け面（４１ａ）に当接させ、該外周縁部（２５）の全周を後から押さえるリング金具（３０）を設け、該リング金具（３０）を前記前面フタ（４０）にねじ止めすることで前記光源ユニット（２０）を前記前面フタ（４０）に装着することを特徴とする交通信号用灯器（１０）。
【０００７】
［２］  光源（２１）と駆動基板（２２）とを備えた光源ユニット（２０）を内装し、交通設備の要所に設置される交通信号用灯器（１０）であって、
前記光源（２１）を前面から覗かせる前面フタ（４０）と、前記光源ユニット（２０）を後方から覆う灯器本体（５０）とを前後から合わせて前記光源ユニット（２０）を収納し、
前記前面フタ（４０）は、前記光源（２１）を覗かせ、かつ前記光源ユニット（２０）の外周縁部（２５）の前部に密接する開口周囲部（４１）と、前記灯器本体（５０）に密接する縁部（４２）と、前記光源ユニット（２０）の受け面（４１ａ）を備え、
前記光源ユニット（２０）の外周縁部（２５）を前記前面フタ（４０）の受け面（４１ａ）に当接させ、該外周縁部（２５）の全周を後から押さえるリング金具（３０ａ）を設け、該リング金具（３０ａ）の一端は前記前面フタ（４０）に枢着し、他端を前記前面フタ（４０）にねじ止めすることで前記光源ユニット（２０）を前記前面フタ（４０）に装着することを特徴とする交通信号用灯器（１０）。
【０００８】
［３］  前記前面フタ（４０）に前記光源ユニット（２０）の外周縁部（２５）を案内する位置決めリブ（４８）を設けたことを特徴とする項１または２に記載の交通信号用灯器（１０）。
【０００９】
前記本発明は次のように作用する。  
本発明に係る交通信号用灯器（１０）は、交通設備の要所に設置され、駆動基板（２２）から光源（２１）に電力を供給し、点滅等をさせて交通案内をする。
【００１０】
光源ユニット（２０）は、前面フタ（４０）に装着された状態で、前面フタ（４０）と、後方から覆う灯器本体（５０）とを前後から合わせて密閉収納される。
【００１１】
光源ユニット（２０）は、その外周縁部（２５）を前面フタ（４０）の開口周囲部（４１）の受け面（４１ａ）に当接し、リング金具（３０）で光源ユニット（２０）の外周縁部（２５）の全周を後から押さえ、リング金具（３０）を前面フタ（４０）にねじ止めすることで前面フタ（４０）に装着される。
【００１２】
リング金具（３０ａ）の一端が前面フタ（４０）に枢着されているものは、他端を前面フタ（４０）にねじ（３１）止めするだけで光源ユニット（２０）が前面フタ（４０）に装着される。前面フタ（４０）に光源ユニット（２０）の外周縁部（２５）を案内する位置決めリブ（４８）を設けたものは前面フタ（４０）に光源ユニット（２０）を装着する際、確実に位置決めすることができ、作業が簡単で間違うことがない。
【００１３】
前面フタ（４０）の縁部（４２）が灯器本体（５０）に密接し、光源ユニット（２０）の外周縁部（２５）の前部には前面フタ（４０）の開口周囲部（４１）が密接する。これにより、前面フタ（４０）と灯器本体（５０）とは、外部への突出部を形成することなく密接に結合する。
【００１４】
光源（２１）は、外部から視認できるよう、前部が前面フタ（４０）の開口周囲部（４１）から覗き、駆動基板（２２）から光源（２１）に電力が供給され、点滅等をして交通案内をする。
【発明の効果】
【００１５】
本発明に係る交通信号用灯器によれば、リング金具で光源ユニットの外周縁部の全周を後から押さえ、リング金具を前面フタにねじ止めするようにし、また、位置決めリブで位置合わせをしながら組み付けるようにしたので、光源をユニット化して一体に扱うことができ、組付け作業性がよく、部材の位置精度も良好な交通信号用灯器とすることができる。
【発明を実施するための最良の形態】
【００１６】
以下、図面に基づき本発明の好適な各種実施の形態を説明する。  
図１〜図５は本発明の第１の実施の形態を示している。  
交通信号用灯器１０は、交通設備の要所に設置されるものであり、形態は図４から図５に示すとおりであり、通常は青、黄、赤の３組で構成され、それぞれの組は同様の構成をしており、光源２１を前面から覗かせる前面フタ４０と、光源ユニット２０を後方から覆う灯器本体５０とを前後から合わせて光源ユニット２０が収納され、前面フタ４０には、フード１５が装着されている。
【００１７】
図１〜図３でわかるように、光源ユニット２０は、ＬＥＤ（発光ダイオード）である光源２１と駆動基板２２と前部の前面レンズ２３とが一体的に構成されて成る。前面フタ４０は、光源ユニット２０の前面レンズ２３を前方に開放する開口周囲部４１を有している。
【００１８】
光源ユニット２０は、前面レンズ２３を前面フタ４０の開口周囲部４１に通し、外周縁部２５を開口周囲部４１の受け面４１ａに押し当て、その後ろから全周をリング金具３０で押さえ、ねじ３１で固定されている。
【００１９】
前面フタ４０は、光源２１を覗かせ、かつ光源ユニット２０の外周縁部２５の前部に密接する開口周囲部４１および受け面４１ａと、灯器本体５０に密接する縁部４２とを備え、灯器本体５０は、光源ユニット２０を後方から覆う箱状の灯器内部５１の前部に前縁部５２を備えて成る。
【００２０】
前面フタ４０と灯器本体５０とがヒンジ状に連結可能なよう、前面フタ４０の縁部４２に後方に突出する蝶番突起部４５が設けられ、灯器本体５０には、蝶番突起部４５が嵌合するシャフト受け部５５が設けられている。
【００２１】
前面フタ４０の縁部４２の蝶番突起部４５には、蝶番部シャフト４６が嵌合するシャフト孔４５ａが穿設され、灯器本体５０の前縁部５２には、シャフト受け部５５を横断して前面フタ４０の蝶番部シャフト４６が納まって保持するシャフト受け溝５６が形成されている。
【００２２】
前面フタ４０と灯器本体５０とを結合するとき、蝶番部シャフト４６は、前面フタ４０を煽り戸状に開いた状態で押え金具５７を灯器本体５０の前縁部５２にねじ５７ａ止めする。
【００２３】
前面フタ４０の蝶番突起部４５を灯器本体５０のシャフト受け部５５に嵌合させ、蝶番部シャフト４６によりヒンジ状に連結することにより、前面フタ４０は煽り戸状に開閉可能で、閉じたとき、外部への突出部を形成することなく前面フタ４０と灯器本体５０とが密接に結合する。
【００２４】
前面フタ４０と灯器本体５０とのヒンジ結合させた側とは反対側の端部は、押え金具５７を利用してシャフト４７をねじ４７ａで固結してある。
【００２５】
次に作用を説明する。  
本発明に係る交通信号用灯器１０は、交通設備の要所に設置され、駆動基板２２から光源２１に電力を供給し、点滅等をさせて交通案内をする。
【００２６】
前面フタ４０と灯器本体５０とは、前面フタ４０の縁部４２に後方に突出して設けられた蝶番突起部４５を、灯器本体５０のシャフト受け部５５に嵌合させて結合する。光源ユニット２０は、前面フタ４０と、後方から覆う灯器本体５０とを前後から合わせて密閉収納される。
【００２７】
光源ユニット２０は、その外周縁部２５を前面フタ４０の開口周囲部４１の受け面４１ａに当接し、リング金具３０で光源ユニット２０の外周縁部２５の全周を後から押さえ、リング金具３０を前面フタ４０にねじ３１止めすることで前面フタ４０に装着される。
【００２８】
前面フタ４０の縁部４２は灯器本体５０に密接し、光源ユニット２０の外周縁部２５の前部は前面フタ４０の開口周囲部４１に密接する。これにより、前面フタ４０と灯器本体５０とは、外部への突出部を形成することなく密接に結合する。
【００２９】
光源２１は、外部から視認できるよう、前部が前面フタ４０の開口周囲部４１から覗き、駆動基板２２から光源２１に電力が供給され、点滅等をして交通案内をする。
【００３０】
図６は第２の実施の形態を示している。  
第２の実施の形態では、リング金具３０ａの基端が前面フタ４０に枢軸３２で枢着されており、遊端側にはねじ３１ａが装着されている。枢軸３２は、前面フタ４０の陥入溝に納められ、押えブラケット３５をねじ３５ａ止めしている。
【００３１】
本実施例では、リング金具３０ａを引き起こしておいてから、光源ユニット２０を、その外周縁部２５を前面フタ４０の開口周囲部４１の受け面４１ａに当接させ、リング金具３０ａを倒して光源ユニット２０の外周縁部２５の全周を後から押さえ、リング金具３０ａの遊端側を前面フタ４０にねじ３１ａ止めすることで光源ユニット２０が前面フタ４０に装着される。
【００３２】
図７は第３の実施の形態を示している。  
第３の実施の形態では、前面フタ４０に、開口周囲部４１を臨んで光源ユニット２０の外周縁部２５を案内して位置決めする位置決めリブ４８，４８…を設けてある。
【００３３】
本実施例では、前面フタ４０に光源ユニット２０を取り付けるとき、位置決めリブ４８で光源ユニット２０の外周が案内され、前面フタ４０に光源ユニット２０を装着する際、確実に位置決めすることができ、作業が簡単で間違うことがない。
【図面の簡単な説明】
【００３４】
【図１】本発明の一実施の形態に係る交通信号用灯器の説明分解断面図である。
【図２】本発明の一実施の形態に係る交通信号用灯器の光源ユニットを装着した状態の背面図である。
【図３】本発明の一実施の形態に係る交通信号用灯器の側面図である。
【図４】本発明の一実施の形態に係る交通信号用灯器の正面図である。
【図５】本発明の一実施の形態に係る交通信号用灯器の全体側面図である。
【図６】本発明の第２の実施の形態に係る交通信号用灯器の説明図である。
【図７】本発明の第３の実施の形態に係る交通信号用灯器の側面図である。
【符号の説明】
【００３５】
１０…交通信号用灯器
２０…光源ユニット
２１…光源
２２…駆動基板
２３…前面レンズ
２５…外周縁部
３０，３０ａ…リング金具
３１…ねじ
４０…前面フタ
４１…開口周囲部
４１ａ…受け面
４２…縁部
４５…蝶番突起部
４５ａ…シャフト孔
４６…蝶番部シャフト
４７…シャフト
４７ａ…ねじ
４８…位置決めリブ
５０…灯器本体
５１…灯器内部
５２…前縁部
５５…シャフト受け部
５６…シャフト受け溝
５７…押え金具
【図１】
2005284529.tif 000003
【図２】
2005284529.tif 000004
【図３】
2005284529.tif 000005
【図４】
2005284529.tif 000006
【図５】
2005284529.tif 000007
【図６】
2005284529.tif 000008
【図７】
2005284529.tif 000009